(57)【要約】【課題】  より正確な補正処理を行うことで遊技機毎のデータを信頼性の高いものとすることができる遊技機管理装置を提供するにある。【解決手段】  パチンコ遊技機を管理装置により管理し、管理装置は、ＴＹ（差玉数）異常を判定した大当たり状態終了から次回の大当たり状態が発生するまでの間、設定アウト玉数発生毎にベース異常を判定し（Ｓ１０１）、ベース異常が検知され（Ｓ１０４）、さらに、直前の大当たりでＴＹ異常と判定されている場合は（Ｓ１０５：ＹＥＳ）、補正ＴＹの算出処理を行うことで（Ｓ１０６）、ベース異常期間中におけるセーフ玉をＴＹ異常と判定された大当たりのＴＹに加算して補正するので、従来に比し正確な補正処理を行うことができる。従って、管理装置による遊技機毎のデータの信頼性を高めることができ、正確な釘調整を行なうためのデータを得ることができる。【選択図】  図７
2005270217.tif 000002
【特許請求の範囲】
【請求項１】
遊技客にとって有利な大当たり状態が発生可能な遊技機についての稼動データを遊技機別に区分して集計管理する遊技機管理装置において、
前記大当たり状態が発生するごとに当該大当たり状態中の打込玉数と払出玉数の差である差玉数を算出し、当該大当たり状態の終了時にその差玉数が予め設定された所定範囲から外れている場合は当該大当たりを差玉数異常として判定する第１異常判定手段と、
前記大当たり状態でない期間において所定の打込玉数に対する払出玉数の割合を示すベースを所定期間ごとに算出し、このベースが予め設定された所定範囲から外れている場合は当該所定期間をベース異常と判定する第２異常判定手段と、
前記大当たり状態の終了時に前記第１異常判定手段が当該大当たり状態を差玉数異常と判定すると共に、当該大当たり状態が終了してから次の大当たり状態が発生するまでの間に前記第２異常判定手段が前記所定期間をベース異常と判定した場合は、当該所定期間における払出玉数のうちから所定玉数を当該大当たり状態の払出玉数に加算して当該大当たり状態の差玉数を補正する補正手段とを備え、
前記補正手段は、前記第２異常判定手段がある所定期間を正常と判定し、それ以降のある所定期間をベース異常と判定した場合も、そのベース異常と判定した所定期間を補正の対象とすることを特徴とする遊技機管理装置。
【請求項２】
前記補正手段は、前記所定期間における払出玉数から大当たり状態でない期間における所定の打込玉数に対する平均的な払出玉数を差し引いた玉数を所定玉数とすることを特徴とする請求項１記載の遊技機管理装置。
【請求項３】
遊技客にとって有利な大当たり状態が発生可能な遊技機についての稼動データを遊技機別に区分して集計管理する遊技機管理装置において、
前記大当たり状態が発生するごとに当該大当たり状態中の払出玉数を計数し、当該大当たり状態の終了時にその払出玉数が予め設定された所定範囲から外れている場合は当該大当たりを払出玉数異常として判定する第１異常判定手段と、
前記大当たり状態でない期間において所定の打込玉数に対する払出玉数を所定期間ごとに計数し、この払出玉数が予め設定された所定範囲から外れている場合は当該所定期間を払出玉数異常として判定する第２異常判定手段と、
前記大当たり状態の終了時に前記第１異常判定手段が当該大当たり状態を払出玉数異常と判定すると共に、当該大当たり状態が終了してから次の大当たり状態が発生するまでの間に前記第２異常判定手段が前記所定期間を払出玉数異常と判定した場合は、当該所定期間における払出玉数のうちから所定玉数を当該大当たり状態の払出玉数に加算して当該大当たり状態の払出玉数を補正する補正手段とを備え、
前記補正手段は、前記第２異常判定手段がある所定期間を正常と判定し、それ以降のある所定期間を払出玉数異常と判定した場合も、その払出玉数異常と判定した所定期間を補正の対象とすることを特徴とする遊技機管理装置。
【発明の詳細な説明】
【技術分野】
【０００１】
本発明は、大当たり状態が発生可能な遊技機についての稼動データを遊技機別に区分して集計管理する遊技機管理装置に関する。
【背景技術】
【０００２】
例えば、パチンコ遊技機においては、所定の大当たり条件が成立したときに、所定入賞口への入賞率を通常より大幅に高められた大当たり状態を発生する構成のものが一般的になっている。このパチンコ遊技機からは、大当たり状態の発生と共に大当たり信号が出力され、大当たり状態の終了と共に大当たり信号が停止されるが、この大当たり信号が停止されるタイミングと大当たり状態中のパチンコ玉の払出しが完了するタイミングとの間には誤差が生じることがあった。その為、遊技機用の管理装置は、大当たり信号の出力が停止された後も予め設定された時間だけ大当たり状態が継続しているものと判断し、その間に払出されたパチンコ玉を大当たり中の払出玉として扱うことで大当たり中のデータを補正して管理している。
【特許文献１】特開平１−１９２３７８号公報
【発明の開示】
【発明が解決しようとする課題】
【０００３】
しかしながら、最近のパチンコ遊技機には、大当たり中の払出し玉数をカウントして記憶する賞球カウンタが設けられ、通常状態になってから、カウントされた玉数だけセーフ玉を払出す構成のものがある。そのため、大当たり信号が停止してから数秒間の払出玉の補正では対応しきれない場合もあり、遊技機用の管理装置における遊技機毎のデータの信頼性が低下することが考えられ、ひいては、釘調整の正確さを損なう虞もあった。
【０００４】
本発明は上記事情に鑑みてなされたもので、より正確な補正処理を行うことで遊技機毎のデータを信頼性の高いものとすることができる遊技機管理装置を提供するにある。
【課題を解決するための手段】
【０００５】
請求項１記載の発明は、遊技客にとって有利な大当たり状態が発生可能な遊技機についての稼動データを遊技機別に区分して集計する遊技機管理装置において、前記大当たり状態が発生するごとに当該大当たり状態中の打込玉数と払出玉数の差である差玉数を算出し、当該大当たり状態の終了時にその差玉数が予め設定された所定範囲から外れている場合は当該大当たりを差玉数異常として判定する第１異常判定手段と、前記大当たり状態でない期間において所定の打込玉数に対する払出玉数の割合を示すベースを所定期間ごとに算出し、このベースが予め設定された所定範囲から外れている場合は当該所定期間をベース異常と判定する第２異常判定手段と、前記大当たり状態の終了時に前記第１異常判定手段が当該大当たり状態を差玉数異常と判定すると共に、当該大当たり状態が終了してから次の大当たり状態が発生するまでの間に前記第２異常判定手段が前記所定期間をベース異常と判定した場合は、当該所定期間における払出玉数のうちから所定玉数を当該大当たり状態の払出玉数に加算して当該大当たり状態の差玉数を補正する補正手段とを備え、前記補正手段は、前記第２異常判定手段がある所定期間を正常と判定し、それ以降のある所定期間をベース異常と判定した場合も、そのベース異常と判定した所定期間を補正の対象とすることを特徴とする。
【０００６】
請求項２記載の発明は、前記補正手段は、前記所定期間における払出玉数から大当たり状態でない期間における所定の打込玉数に対する平均的な払出玉数を差し引いた玉数を所定玉数とすることを特徴とする。
請求項３記載の発明は、遊技客にとって有利な大当たり状態が発生可能な遊技機についての稼動データを遊技機別に区分して集計管理する遊技機管理装置において、前記大当たり状態が発生するごとに当該大当たり状態中の払出玉数を計数し、当該大当たり状態の終了時にその払出玉数が予め設定された所定範囲から外れている場合は当該大当たりを払出玉数異常として判定する第１異常判定手段と、前記大当たり状態でない期間において所定の打込玉数に対する払出玉数を所定期間ごとに計数し、この払出玉数が予め設定された所定範囲から外れている場合は当該所定期間を払出玉数異常として判定する第２異常判定手段と、前記大当たり状態の終了時に前記第１異常判定手段が当該大当たり状態を払出玉数異常と判定すると共に、当該大当たり状態が終了してから次の大当たり状態が発生するまでの間に前記第２異常判定手段が前記所定期間を払出玉数異常と判定した場合は、当該所定期間における払出玉数のうちから所定玉数を当該大当たり状態の払出玉数に加算して当該大当たり状態の払出玉数を補正する補正手段とを備え、前記補正手段は、前記第２異常判定手段がある所定期間を正常と判定し、それ以降のある所定期間を払出玉数異常と判定した場合も、その払出玉数異常と判定した所定期間を補正の対象とすることを特徴とする。
【発明の効果】
【０００７】
請求項１記載の発明によれば、大当たり状態にて差玉数異常が発生し、差玉数異常を判定した大当たり状態終了から次の大当たり状態発生までの間にベース異常を判定した場合は、ベース異常と判定された所定期間中における払出玉数のうちから所定玉数を当該大当たり状態の差玉数に加算して補正するため、通常状態による正常な払出しか差玉数異常の大当たりによる異常な払出しかを判別し、より正確な補正処理を行うことができる。従って、遊技機毎のデータをより信頼性の高いものとすることができる。
【０００８】
この場合、ベース異常を判定する所定期間毎において、所定期間を正常と判定した以降の所定期間をベース異常と判定した場合も、そのベース異常と判定した所定期間を補正の対象とするので、大当たり終了から比較的長い期間経過後にベース異常が発生するにしても大当たり状態の差玉数を確実に補正することができる。
【０００９】
請求項２記載の発明によれば、ベース異常と判定されたすべての期間中の払出玉数から大当たり状態でない期間の平均的な払出玉数を差し引いた玉数を所定玉数として補正するため、通常状態の払出し分から大当たり状態の払出し分を区別して、さらに正確な補正処理を行なうことができ、遊技機毎のデータをより信頼性の高いものとすることができる。
【００１０】
請求項３の発明によれば、大当たり中の差玉数に代えて払出玉数で大当たり状態の異常を判定するようにしたので、異常の判定を容易に行うことができる。
【発明を実施するための最良の形態】
【００１１】
（第１の実施例）
以下、本発明の第１の実施例について図１ないし図８を参照して説明する。
図１には、本実施例のシステム構成の全体が概略的に示されている。この図１において、管理装置１（第１異常判定手段、第２異常判定手段および補正手段に相当）は、店舗内ネットワーク２に接続され、この店舗内ネットワーク２には、複数のパチンコ遊技機４が遊技機端末３を介して接続されている。
【００１２】
パチンコ遊技機４は、その上皿５ａ内のパチンコ玉を電動式の発射装置（操作ダイヤルのみ符号６を付して示す）により盤面７へ発射して打込む構成になっている。盤面７には、アウト口８、始動入賞口９、大入賞口１０、通常入賞口（図示せず）等が設けられている。尚、パチンコ遊技機４よりセーフ玉の払出しが発生する場合、まずは、セーフ玉が上皿５ａに払出され、上皿５ａが満杯で払出不可能な状態となった場合、セーフ玉が下皿５ｂに払出される構成になっている。
【００１３】
ここで、本実施例のパチンコ遊技機４は、内部に賞球カウンタが設けられている。この賞球カウンタとは、パチンコ遊技機４からセーフ玉の払出しが行なわれるが、上下皿５ａ，５ｂが一杯になったり、玉詰まりが発生したりして払出しを行なうことができない状態で払出されるはずのセーフ玉をカウントし、払出しを行なうことができる状態になった場合に、カウント分だけセーフ玉の払出しを行なうものである。パチンコ遊技機４の遊技により、遊技客が、操作ダイヤル６を操作して上皿５ａ内のパチンコ玉を盤面７へ打込むと、パチンコ遊技機４からは、盤面に打込まれたパチンコ玉が排出される毎にアウト信号が出力される。そして、盤面７に打込まれたパチンコ玉が始動入賞口９へ入賞し、所定確率で大当たり抽選を行う役物である例えば図柄変動の作動が開始されると、パチンコ遊技機４からは、図柄変動が開始される毎にスタート信号が出力される。この図柄変動の結果が大当たりに当選して大当たり状態が発生すると、パチンコ遊技機４からは、大当たり信号がレベル出力され、当該大当たりが終了すると、大当たり信号のレベル出力が停止される。
【００１４】
大当たり状態中は、大入賞口１０への入賞率が大幅に高められ、パチンコ玉がこの大入賞口１０へ入賞することにより、パチンコ遊技機４からセーフ玉の払出しが行なわれ、また、大当たり状態中に加えて通常時にも、パチンコ玉が所定の入賞口へ入賞した場合は、パチンコ遊技機４からセーフ玉の払出しが行なわれる。このようにパチンコ遊技機４からセーフ玉の払出しが行なわれると、パチンコ遊技機４からは、セーフ玉の払出しが行なわれる毎にセーフ信号が出力される。これらを含む各種信号は、遊技機端末３を介して、管理装置１に送信される。
【００１５】
図１に示すように、管理装置１は、図示しないマイクロコンピュータを含む制御装置を具備しており、各パチンコ遊技機４から出力された各種信号に基づいて、各パチンコ遊技機４についての稼動データをパチンコ遊技機４別に区分して集計管理し、稼動データの一部である大当たりに関するデータについては、パチンコ遊技機４から出力されたアウト信号、スタート信号、大当たり信号、セーフ信号を含む信号に基づいて管理する。
【００１６】
図２および図３は、管理装置１が管理する稼動データのうち本発明に関連した管理データを示している。この図２は管理装置１により管理される大当たり履歴データを示しており、この大当たり履歴データの項目の詳細を説明する。
台Ｎｏ．：番号で区別されたパチンコ遊技機４の内の１台を示しており、ここでは、例えば、１２３番台のパチンコ遊技機４を示す。
【００１７】
Ｎｏ．：大当たり番号を示しており、ここでは、開店から最初に発生した大当たりを「１」とし、次に発生した大当たりを順に、「２」、「３」、・・・と示す。
発生時刻：大当たり状態が発生した時刻を示す。
スタート：前回の大当たり終了後（１回目の大当たりに関しては開店）から今回の大当たり発生までのスタート回数を示す。
【００１８】
ＢＯ：前回の大当たり終了後（１回目の大当たりに関しては開店）から今回の大当たり発生までの打込玉数であるアウト玉数を示す。
Ｂ差：前回の大当たり終了後（１回目の大当たりに関しては開店）から今回の大当たり発生までのアウト玉数と払出玉数であるセーフ玉数との差であるの通常差玉数を示す。
Ｂ補正：前回のレコードにＴＹの補正（補正方法については後述する）を行なった場合に「＊」記録する。
【００１９】
ＴＹ：大当たり状態中のアウト玉数とセーフ玉数の差である差玉数を示す。
異常：ＴＹが後述する処理にて異常と判定された場合に「＊」を記録する。
補正ＴＹ：ＴＹの補正が行なわれた場合に表示され、補正後のＴＹを示す。
続いて図３は、管理装置１により管理される大当たり集計データを示しており、この大当たり集計データの項目の詳細を説明する。
【００２０】
Ｔ回数：開店から現在までに大当たりが発生した総回数を示す。
異常：開店から現在までにＴＹが異常と判定された総回数を示す。
平均ＴＹ：各レコードのＴＹの平均値を示す。
平均Ｓ：各レコードのスタートの平均値を示す。
平均ＢＯ：各レコードのＢＯの平均値を示す。
平均Ｂ差：各レコードのＢ差の平均値を示す。
【００２１】
以下、本実施例の作用について、図面を参照しながら説明する。
遊技客によるパチンコ遊技機４の遊技において、大当たりが発生すると、パチンコ遊技機４からは、大当たり発生に伴う大当たり信号がレベル出力されて、管理装置１へ送信される。
【００２２】
図４は、パチンコ遊技機４において発生した大当たり状態が正常に終了した場合におけるセーフ玉数の変化を示しており、大当たり状態中のセーフ玉数から大当たり状態中のアウト玉数を減算することにより、大当たり状態中の差玉数ＴＹ（図中に示す斜線領域で、分り易いようにセーフ玉数全体を差玉数として示した）を求めることができる。尚、図４では、大当たり状態以外のセーフ玉数であるベースを一定として示した。
【００２３】
図６ないし図８は、管理装置１による処理のうち本発明に関連した処理を示している。
図６は、管理装置１による大当たり中処理を示している。この図６において、管理装置１は、パチンコ遊技機４からの大当たり信号がＯＮしたことを確認した場合は（Ｓ１：ＹＥＳ）、大当たり履歴データに新規レコードを追加し（Ｓ２）、発生時間、スタート、ＢＯ、Ｂ差を記録する（Ｓ３）。図２の例では、Ｎｏ．１のレコードを追加し、当該レコードに発生時間として１０時０５分、スタートとして３９６、ＢＯとして６６００、Ｂ差として４６２０を記録する。
【００２４】
続いて、ＴＹ算出処理を開始する（Ｓ４）。このＴＹ算出処理とは、管理装置１が、大当たり状態中のセーフ信号の出力回数とアウト信号の出力回数との差により大当たり状態中の差玉数であるＴＹ値を算出する処理であり、後述するＴＹ異常フラグはこの処理が行われる毎にリセットされるようになっている。
続いて、管理装置１は、大当たり信号がＯＦＦつまり大当たり状態の終了を確認すると（Ｓ５：ＹＥＳ）、遅延タイマを起動し（Ｓ６）、タイマ時間が終了するまで待機する（Ｓ７：ＮＯ）。この遅延タイマとは、大当たり終了後に当該大当たりによるセーフ玉の払出しが終了したとみなすことのできる所定時間を計時するものである。管理装置１は、タイマ時間終了と判断すると（Ｓ７：ＹＥＳ）、ＴＹ算出処理を終了すると共に（Ｓ８）、算出されたＴＹをレコードに記録する（Ｓ９）。図２の例では、ＴＹとして２０００を記憶する。ここで、ＴＹが通常の大当たり状態における差玉数である正常範囲（例えば１９７０〜２０３０）かを判断する（Ｓ１０）。図２の例では、大当たり状態が正常に終了して、ＴＹは２０００であるので、管理装置１は、ＴＹが正常範囲と判断し（Ｓ１０：ＹＥＳ）、リターンする。
上述のようにして大当たり中処理を実行した管理装置１は、次に大当たり終了後処理を実行する。
【００２５】
図７は、管理装置１による大当たり終了後処理を示している。この図７に示す大当たり終了後処理は、次回の大当たりが発生するまで継続して行なわれる処理であり、管理装置１は、設定アウト玉数として例えば５００アウトを確認した場合は（Ｓ１０１：ＹＥＳ）、判定用出玉率を読込む（Ｓ１０２）。この判定用出玉率とは、ステップＳ１０１において計測された５００アウトとその期間のセーフ玉数との割合により算出される出玉率であるベースを示すものである。
【００２６】
続いて、管理装置１は、ベースが判定用出玉率として予め定められた例えば２８％〜３２％かを判定する（Ｓ１０３）。大当たり終了後のベースが正常の場合は、管理装置１は、正常範囲内であると判断し（Ｓ１０３：ＹＥＳ）、リターンする。
このように、管理装置１は、正常な大当たり状態が発生した場合は図２に示す大当たり履歴データに新規レコードを追加し上記のように各項目を記録するのである。さらに、管理装置１は、現在の大当たり履歴データに基づいて、各項目の総回数や平均値の算出を行い、図３に示す大当たり集計データの記録と更新を行なう。
【００２７】
次に、パチンコ遊技機４において異常な大当たりが発生した場合の管理装置１の動作について説明する。
図５は、パチンコ遊技機４において異常な大当たりが発生した場合のセーフ玉数の変化を示している。この図５に示すように、大当たり状態の途中で上皿５ａおよび下皿５ｂが一杯になったときはセーフ玉数が大幅に減少した状態で一定となる。つまり、本実施例のパチンコ遊技機４は、セーフ玉の払出しができない状態となると、セーフ玉の払出しに代えて賞球カウンタで計数し、払出しが可能な状態となると、セーフ玉の払出しを実行することから、大当たり中にセーフ玉の払出しができなくなった状態では、出玉率が１００％となる。そして、大当たり状態終了直後、遊技客が上下皿５ａ，５ｂに貯留されているセーフ玉を玉箱に排出すると、大当たり状態中に払出すことができなかったすべてのセーフ玉の払出しが一気に行なわれるので、ベースが大きく上昇してから通常のベースに復帰するようになる。
【００２８】
このような場合、図６に示す大当たり中処理において、管理装置１は、上記と同様にして、新規レコードを追加する。図２の例では、Ｎｏ．３のレコードを追加して大当たりに関するデータを書込んでから（Ｓ１〜Ｓ９）、ＴＹが正常範囲（１９７０〜２０３０）かを判定する（Ｓ１０：ＮＯ）。この場合、ＴＹは通常よりも小さいので、ステップＳ１０において「ＮＯ」と判定し、レコードの異常欄に「＊」を記録すると共に（Ｓ１１）、ＴＹ異常フラグをＯＮにして（Ｓ１２）、リターンする。
【００２９】
次に、図７に示す大当たり終了後処理において、管理装置１は、アウト玉数が設定アウト玉数となることを確認したときは、判定用出玉率を読み込み（Ｓ１０１，Ｓ１０２）、ベースが正常範囲かを判断する（Ｓ１０３）。ここで、大当たり状態終了直後に大当たり中に払出すことができなかったすべての払出しを行なったためにベースが通常よりも大きくなっているので、管理装置１は、ベースが正常範囲（２８〜３２％）でないと判断し（Ｓ１０３：ＮＯ）、ベース異常を報知し（Ｓ１０４）、さらに、ＴＹ異常フラグＯＮかを確認する（Ｓ１０５）。ここで、直前の大当たり状態において、ＴＹ異常が判定されているので、管理装置１は、ＴＹ異常フラグＯＮと判断し（Ｓ１０５：ＹＥＳ）、補正ＴＹの算出処理に移行する（Ｓ１０６）。この補正ＴＹの算出処理とは、大当たり状態中に払出されるべきセーフ玉のうち大当たり終了後に払出されたセーフ玉をＴＹに含むための動作である。
【００３０】
図８は、管理装置１による補正ＴＹの算出処理を示している。この図８において、管理装置１は、設定期間のセーフ玉を読込む（Ｓ２０１）。この設定期間のセーフ玉とは、ベース異常と判定された期間にパチンコ遊技機４から払出されたセーフ玉を示す。管理装置１は、読込んだセーフ玉を直前の大当たりのＴＹに加算して（Ｓ２０２）、リターンする。
【００３１】
そして、図７に示す大当たり終了後処理において、管理装置１は、大当たり履歴データに、次の新規レコードを追加しＢ補正欄に「＊」を記録する（Ｓ１０７）。図２の例では、Ｎｏ．４のレコードのＢ補正欄に「＊」が記録される。従って、管理装置１により大当たり履歴データの帳票を作成したときは、異常が発生した大当たり及び補正された通常差玉数に対応したレコードに「＊」が表示されるので、異常な大当たりを一目で判断することができる。このような構成によれば、管理装置１は、大当たり時のＴＹ（差玉数）を異常と判定した場合は、ＴＹ異常を判定した大当たり状態終了から次回の大当たり状態が発生するまでの間、設定アウト玉数発生毎にベース異常の判定を行い、ベース異常が検知されたときは、補正ＴＹの算出処理を行うことで、ベース異常期間中におけるセーフ玉をＴＹ異常と判定された大当たりのＴＹに加算して補正するようにしたので、大当たり状態中のＴＹの検出精度を高めることができる。よって、管理装置１による遊技機毎のデータを信頼性の高いものとすることができ、より正確な釘調整を行なうためのデータを得ることができる。しかも、このような優れた効果を奏する構成として、パチンコ遊技機４からのアウト信号及びセーフ信号の出力回数に基づいて実施することができるので、管理装置１のプログラムの変更で対処することができ、コストが大幅に上昇することなく容易に実施することができる。
【００３２】
また、管理装置１が管理する大当たり履歴データにおいて、差玉数異常が発生した大当たり及び補正対象となった通常差玉数を「＊」で示すようにしたので、大当たり履歴の分析を容易に行うことができる。
【００３３】
（第２の実施例）
以下、本発明の第２の実施例を図９ないし図１１に基づいて説明するに、第１の実施例と同一部分には同一符号を付して説明を省略し、異なる部分について説明する。
【００３４】
ところで、第１の実施例のものでは、ベース異常と判断された期間のセーフ玉を直前の大当たりのＴＹに加算して補正するようにしているものの、遊技客によっては、大当たりの終了で上下皿５ａ，５ｂに貯留されているセーフ玉を排出することなく払出されるセーフ玉でそのまま遊技を継続したり、その継続遊技の途中で一気に玉箱に排出したりすることがある。
【００３５】
図９及び図１０は、パチンコ遊技機４から払出されたセーフ玉数の変化を示し、ＴＹ異常となる場合を示している。この図９は、大当たり状態の途中から上皿５ａおよび下皿５ｂが一杯になることで、出玉率が１００％となり、大当たり状態終了後もベースが１００％の状態でしばらく遊技が行われた後、賞球カウンタによりカウントされた分のすべてのパチンコ玉を払出した場合を示している。図１０は、大当たり状態の途中からベースが１００％となり、大当たり終了後、賞球カウンタのカウントが０となるまでベースが１００％の状態で遊技が行われた場合を示している。
これらの場合は、ベース異常となっている期間が比較的長く、第１の実施例のように通常ベース分の払出玉数を無視した場合、その影響が大きいことから、本実施例では、以下のようにして補正処理の正確さをさらに向上させた。
【００３６】
図６および図７に示す管理装置１による大当たり中処理および大当たり後処理において、管理装置１は、第１の実施例と同様に、大当たり中にＴＹ異常を検出し、さらに大当たり終了時にベース異常を検出したときは、補正ＴＹの算出処理を実行する（Ｓ１０６）。
【００３７】
図１２は、本実施例における管理装置１による補正ＴＹ処理を示している。この図１２において、管理装置１は、ベース異常期間である設定期間中に発生したセーフ玉を読込み（Ｓ３０１）、予め設定された平均ベースを読込む（Ｓ３０２）。この平均ベースとは、正常範囲（２８〜３２％）のベースの平均から算出された３０％である。続いて、管理装置１は、読込んだセーフ玉数から平均ベース分のセーフ玉数を減算し補正セーフ玉数を算出する（Ｓ３０３）。この平均ベース分のセーフ玉数とは、ベース異常と判定された期間中の打込玉数であるアウト玉数と平均ベースとの積により算出される玉数を示すもので、例えば、当該期間に５００アウトあった場合は、５００アウトの３０％に相当する１５０セーフ玉数を示し、ステップＳ３０１で読込みこんだセーフ玉数からこの平均ベース分のセーフ玉数（１５０セーフ玉数）を減算して補正セーフ玉数を算出する。そして、管理装置１は、補正セーフ玉数を直前の大当たり中のＴＹに加算して（Ｓ３０４）、リターンする。
【００３８】
以上のような動作により、大当たり中に異常が発生すると共に、大当たり終了後のベース異常の期間が比較的長い場合であっても、大当たり状態の差玉数ＴＹを精度よく補正することができる。
【００３９】
一方、大当たり中のＴＹ異常としては、大当たり中に玉詰まりが発生し、大当たりの終了以降に玉詰まりが解消して大当たり中に本来払出されるべきセーフ玉が一気に払出されることがある。
図１１は、このような場合のセーフ玉数の変化を示している。この図１１に示すように、大当たり中に玉詰まりが発生してセーフ玉の払出しが停止し、大当たり終了以降において玉詰まりが解消したところで、セーフ玉が一気に払出されてベースが大きく上昇してから通常のベースとなる。
【００４０】
このようなベース異常であっても、管理装置１は、大当たり状態でない期間にあっては、設定アウト玉数が発生する毎にベース異常を判定し、ベース異常と判定した全ての期間のセーフ玉数からベースを差引いた値を直前の大当たりのＴＹに加算するので、大当たり中の玉詰まりにも確実に対処することができる。このような構成によれば、管理装置１は、ベース異常を判定したときは、補正ＴＹの算出処理を行うことで、ベース異常と判定した期間中におけるセーフ玉数からベース異常と判定した期間中の正常な払出（セーフ）玉数を差し引いた補正セーフ玉数をＴＹ異常と判定された大当たりのＴＹに加算して補正するようにしたので、大当たり状態にてＴＹ異常が発生し、通常状態に移行してから大当たり状態による払出しが長期に亘って行なわれた場合であっても、玉詰まりが発生したりし、ベース分の払出しを無視できない程の玉数になった場合でも、設定アウト玉数毎にベース異常を判定し、ベース異常が判定されれば、このベース異常と判定されている期間中の払出玉数から通常ベースにおける平均的な払出玉数を減算して補正セーフ玉数を算出し、当該大当たり状態のＴＹに加算して補正ＴＹを算出するため、より正確な補正処理を行うことができる。よって、管理装置１による遊技機毎のデータを信頼性の高いものとすることができ、より正確な釘調整を行なうためのデータを得ることができる。
【００４１】
しかも、図１１に示したように大当たり終了から比較的長期間経過した後に、大当たり中に本来払出されるべきセーフ玉が一気に払出されるにしても、本実施例（第１の実施例も同様）では、差玉数異常と判断した大当たりから次の大当たりまでの期間において、ベース異常と判断した所定期間の差玉数を差玉数異常と判断した大当たりの差玉数に加算して補正するようにしたので、大当たり時に玉詰まりを生じることによる差玉数異常に対しても確実に対処することができる。
【００４２】
（変形例）
上記各実施例では、大当たり中の異常を判定するために、大当たり中の差玉ＴＹに基づいて判定するようにしたが、これに代えて、大当たりのセーフ玉数に基づいて判定するようにしてもよい。
【００４３】
上記第１及び第２の実施の形態において、所定の確率で大当たり抽選を行うタイプのパチンコ遊技機に適用して管理装置による大当たりに関する処理を行う作用としたが（上記実施例では設定値として、ベースの正常範囲を２８〜３２％、平均ベースを３０％、平均ベース分のセーフ玉数を５００アウト玉数に対して１５０セーフ玉数とした）、大当たりを抽選する確率が状態に応じて変動するタイプのパチンコ遊技機に適用して管理装置による処理を行うようにしてもよい。この場合は、上記実施例の設定値の他に、確率変動用のベース正常範囲を８５〜１０５％、確率変動用の平均ベースを９５％、確率変動用の平均ベース分のセーフ玉数を５００アウトに対して４５０セーフ玉数とし、これらの設定値を通常状態と確率変動状態とに応じて適用するようにする。
【図面の簡単な説明】
【００４４】
【図１】本発明の第１の実施例におけるシステム全体の構成を示す図
【図２】管理装置の大当たり履歴データを示す図
【図３】管理装置の大当たり集計データを示す図
【図４】パチンコ遊技機のセーフ玉数の変化を示すタイムチャート図
【図５】図４相当図
【図６】管理装置による大当たり中処理を示すフローチャート
【図７】管理装置による大当たり終了後処理を示すフローチャート
【図８】管理装置による補正ＴＹの算出処理を示すフローチャート
【図９】本発明の第２の実施例を示す図４相当図
【図１０】異なるベース異常状態で示す図４相当図
【図１１】異なるベース異常状態で示す図４相当図
【図１２】図８相当図
【符号の説明】
【００４５】
図面中、１は管理装置、２は店舗内ネットワーク、３は遊技機端末、４はパチンコ遊技機、５ａは上皿、５ｂは下皿を示す。
【図１】
2005270217.tif 000003
【図２】
2005270217.tif 000004
【図３】
2005270217.tif 000005
【図４】
2005270217.tif 000006
【図５】
2005270217.tif 000007
【図６】
2005270217.tif 000008
【図７】
2005270217.tif 000009
【図８】
2005270217.tif 000010
【図９】
2005270217.tif 000011
【図１０】
2005270217.tif 000012
【図１１】
2005270217.tif 000013
【図１２】
2005270217.tif 000014